(57)【要約】      （修正有）【課題】宅配物を雨水によって濡らさないことができる宅配ボックスを提供する。【解決手段】宅配ボックスは、組み立て状態から折り畳み状態に折り畳み可能な宅配ボックスであって、折り畳み状態では本体カバー１０の前面に沿って設けられ、組み立て状態では水平面と略平行になるように本体カバー１０に支持される底板３０と、折り畳み状態では本体カバー１０に折り畳んで収納される側板５０，６０と、を備え、底板３０は、底板カバー３２を含み、底板カバー３２の最も高い位置には、宅配物が載置される載置部が形成され、組み立て状態では、側板５０，６０が載置部の外側に位置する。【選択図】図３
2020156815.tif 000002
【特許請求の範囲】
【請求項１】
組み立て状態から折り畳み状態に折り畳み可能な宅配ボックスであって、
前記折り畳み状態では本体カバーの前面に沿って設けられ、前記組み立て状態では水平面と略平行になるように前記本体カバーに支持される底板と、前記折り畳み状態では前記本体カバーに折り畳んで収納される側板と、を備え、
前記底板は、底板カバーを含み、
前記底板カバーの最も高い位置には、宅配物が載置される載置部が形成され、
前記組み立て状態では、前記側板が前記載置部の外側に位置する、宅配ボックス。
【請求項２】
前記組み立て状態では、前記底板の内面が前方から後方に向かうに従って下方に傾斜する、請求項１記載の宅配ボックス。
【請求項３】
前記側板は、前記側板を折り畳み可能とするヒンジ部を備え、
前記ヒンジ部の内側には、カバーが設けられる、請求項１または２に記載の宅配ボックス。
【発明の詳細な説明】
【技術分野】
【０００１】
本開示は、宅配ボックスに関する。
【背景技術】
【０００２】
宅配ボックスは、公知である。例えば、特許文献１には、折り畳み可能な宅配ボックスが開示される。折り畳み可能な宅配ボックスは、宅配業者が宅配物を預けるまでは折り畳まれ、宅配業者が宅配物を預けるときに組み立てられる。
【先行技術文献】
【特許文献】
【０００３】
【特許文献１】特表２０１８−５２５０３８号公報
【発明の概要】
【発明が解決しようとする課題】
【０００４】
宅配ボックスは、一戸建て住宅の玄関先または庭先などの屋外に設置される。そのため、宅配ボックスに宅配物が預けられる間に、宅配物を雨水によって濡らさないことが求められる。
【０００５】
本開示の目的は、宅配物が預けられている間に、宅配物を雨水によって濡らさないことができる折り畳み可能な宅配ボックスを提供することである。
【課題を解決するための手段】
【０００６】
本開示の一態様である宅配ボックスは、組み立て状態から折り畳み状態に折り畳み可能な宅配ボックスであって、折り畳み状態では本体カバーの前面に沿って設けられ、組み立て状態では水平面と略平行になるように本体カバーに支持される底板と、折り畳み状態では本体カバーに折り畳んで収納される側板と、を備え、底板は、底板カバーを含み、底板カバーの最も高い位置には、宅配物が載置される載置部が形成され、組み立て状態では、側板が載置部の外側に位置する。
【発明の効果】
【０００７】
本開示の一態様によれば、宅配物が預けられている間に、雨水によって宅配物を濡らさないことができる折り畳み可能な宅配ボックスを提供することができる。
【図面の簡単な説明】
【０００８】
【図１】組み立て状態の宅配ボックスの構成を示す斜視図である。
【図２】折り畳み状態の宅配ボックスの構成を示す斜視図である。
【図３】分解した宅配ボックスを示す斜視図である。
【図４】宅配ボックスを組み立てるときの流れを示す模式図である。
【図５】宅配ボックスを折り畳むときの流れを示す模式図である。
【図６】宅配ボックスの防水構成を示す斜視図である。
【図７】宅配ボックスの防水構成を示す別の斜視図である。
【発明を実施するための形態】
【０００９】
以下、図面を参照しながら、実施形態の一例を詳細に説明する。実施形態において参照する図面は、模式的に記載されたものであるから、図面に描画された構成要素の寸法などは、以下の説明を参酌して判断されるべきである。本明細書において、「略〜」との記載は、略同一を例に説明すると、完全に同一はもとより、実質的に同一と認められる場合を含む意図である。以下で説明する実施形態は例示であって、本開示の宅配ボックスはこれに限定されない。
【００１０】
以下、図面を用いて本開示の実施形態を説明する。以下で説明する形状、材料及び個数は、説明のための例示であって、宅配ボックスの仕様に応じて適宜変更することができる。以下ではすべての図面において同等の要素には同一の符号を付して説明する。また、本文中の説明においては、必要に応じてそれ以前に述べた符号を用いるものとする。
【００１１】
以下では、宅配ボックスが折り畳まれる方向を奥行き方向とする。扉が設けられる側を奥行き方向の前側とする。水平面において奥行き方向と直交する方向を幅方向とする。宅配ボックスの前面側に向かって右側を幅方向の右側とする。幅方向と奥行き方向とに直交する鉛直方向を高さ方向とする。
【００１２】
図１乃至図３を用いて、宅配ボックス１００の構成について説明する。図１は、組み立て状態の宅配ボックス１００の構成を表す斜視図である。図２は、折り畳み状態の宅配ボックス１００の構成を表す斜視図である。図３は、宅配ボックス１００の分解した状態を示す斜視図である。
【００１３】
宅配ボックス１００は、折り畳み可能である。宅配ボックス１００は、一戸建て住宅の玄関脇の壁面に設置されるが、これに限定されない。宅配ボックス１００は、例えば集合住宅等に設置されても良い。また、宅配ボックス１００は、例えば玄関脇の床面等に設置されても良い。
【００１４】
宅配ボックス１００は、宅配業者によって宅配物が預けられるまでは、折り畳まれた状態（折り畳み状態）となる。また、宅配ボックス１００は、宅配業者によって宅配物が届けられてからは、組み立てられた状態（組み立て状態）となる。
【００１５】
宅配ボックス１００は、本体カバー１０と、天板２０と、底板３０と、扉４０と、側板５０，６０と、を備える。側板５０は、第１側板５１と、第２側板５２と、を含む。側板６０は、第１側板６１と、第２側板６２と、を含む。
【００１６】
本体カバー１０は、前面が開口する箱形状に構成される。本体カバー１０は、カバー部１１と、フレーム１２と、一対のアーム１３，１３と、を備える。カバー部１１は、前面が開口する箱形状に構成される。カバー部１１は、上板１１Ａと、下板１１Ｂと、裏板１１Ｃと、側板１１Ｄ，１１Ｅと、を含む。カバー部１１は、例えば樹脂製である。
【００１７】
上板１１Ａの前端部には、天板２０がヒンジ固定される。下板１１Ｂの前端部には、底板３０がヒンジ固定される。裏板１１Ｃの内面の左端部には、第２側板５２がヒンジ固定される。裏板１１Ｃの内面の右端部には、第２側板６２がヒンジ固定される。
【００１８】
フレーム１２は、カバー部１１の開口部の前端面に沿って配置される。フレーム１２は、例えば金属製である。一対のアーム１３，１３は、本体カバー１０の幅方向の両端側にそれぞれ設けられる。一対のアーム１３，１３は、底板３０が下方に開かれたとき、底板３０が水平面に略平行な位置となるように支持する。アーム１３は、例えば金属製である。
【００１９】
天板２０は、本体カバー１０の前面に設けられる。天板２０は、例えば樹脂製である。天板２０は、上述したように、カバー部１１の上板１１Ａの前端部にヒンジ固定される。このような構成とすることで、天板２０は、本体カバー１０の前面の上側を覆った状態から上方に開かれる。
【００２０】
底板３０は、本体カバー１０の前面に設けられる。底板３０は、例えば樹脂製である。底板３０は、上述したように、カバー部１１の下板１１Ｂの前端部にヒンジ固定される。このような構成とすることで、底板３０は、本体カバー１０の前面の下側を覆った状態から下方に開かれる。底板３０は、上述したように、下方に開かれたときに水平面と略平行な位置にて一対のアーム１３，１３によって本体カバー１０に支持される。
【００２１】
底板３０の内面には、底板カバー３２が設けられる。底板カバー３２上には、一対のレール３４，３４が設けられる。一対のレール３４，３４は、底板３０の奥行き方向に沿って設けられる。
【００２２】
扉４０は、折り畳み状態では本体カバー１０に収納される。扉４０は、扉本体４１と、フレーム４２と、施錠装置４３と、摺動部４４と、を備える。扉本体４１は、フレーム４２の右端部にヒンジ固定される。扉本体４１は、例えば樹脂製である。
【００２３】
フレーム４２は、扉４０の四方を囲むように形成される。フレーム４２の左端部は、第２側板５２にヒンジ固定される。フレーム４２の右端部は、第２側板６２にヒンジ固定される。フレーム４２は、例えば樹脂製である。施錠装置４３は、扉本体４１をフレーム４２に施錠または開錠する装置である。
【００２４】
側板５０は、折り畳み状態では本体カバー１０に折り畳んで収納される。側板５０は、上述したように、第１側板５１と、第２側板５２と、を含む。第１側板５１および第２側板５２は、幅方向から見て略同一の長方形状に形成される。第１側板５１および第２側板５２は、例えば樹脂で形成される。
【００２５】
側板５０の第１側板５１の前端部は、扉４０のフレーム４２の左端部にヒンジ固定される。第１側板５１の後端部は、第２側板５２の前端部にヒンジ固定される。側板５０の第２側板５２の後端部は、本体カバー１０を構成するカバー部１１の裏板１１Ｃの内面の左端部にヒンジ固定される。このような構成とすることで、側板５０は、宅配ボックス１００の内側に折り曲げられる。
【００２６】
側板６０は、折り畳み状態では本体カバー１０に折り畳んで収納される。側板６０は、上述したように、第１側板６１と、第２側板６２と、を含む。第１側板６１および第２側板６２は、略同一の長方形状に形成される。第１側板６１および第２側板６２は、例えば樹脂で形成される。
【００２７】
側板６０の第１側板６１の前端部は、扉４０のフレーム４２の右端部にヒンジ固定される。第１側板６１の後端部は、第２側板６２の前端部にヒンジ固定される。側板６０の第２側板６２の後端部は、本体カバー１０を構成するカバー部１１の裏板１１Ｃの内面の右端部にヒンジ固定される。このような構成とすることで、側板６０は、宅配ボックス１００の内側に折り曲げられる。
【００２８】
次に、図４を用いて、宅配ボックス１００を組み立てるときの動作について説明する。図４は、宅配ボックス１００を組み立てるときの動作を示す模式図である。
【００２９】
宅配ボックス１００は、上述したように、宅配業者によって宅配物が預けられるときに、宅配業者によって組み立てられる。以下に、宅配ボックス１００の折り畳み状態から組み立て状態までをステップ毎に説明する。
【００３０】
ステップＳ１０において、宅配ボックス１００は、折り畳み状態として折り畳まれている。このとき、扉４０および側板５０，６０は、折り畳まれて本体カバー１０に収納されている。また、本体カバー１０では、天板２０と底板３０とが閉じられている。
【００３１】
ステップＳ２０において、宅配業者によって、本体カバー１０から天板２０が上方に開けられる。天板２０は、水平面と略平行な位置まで開けられる。このとき、天板２０を支持するものがないため、宅配業者によって、天板２０が支持される。
【００３２】
ステップＳ３０において、宅配業者によって、本体カバー１０から底板３０が下方に開けられる。底板３０は、水平面と略平行な位置まで開けられる。このとき、底板３０は、アーム１３によって本体カバー１０に支持される。
【００３３】
ステップＳ４０において、宅配業者によって、扉４０が本体カバー１０から引き出される。このとき、扉４０のフレーム４２に設けられた一対の摺動部４４，４４が底板３０のレール３４，３４を摺動する。扉４０が前方へ引き出されることによって、扉４０に追従するように、折り畳まれて収納されていた第１側板５１および第２側板５２が開かれて、宅配ボックス１００の側面を構成する。第１側板６１および第２側板６２も同様である。
【００３４】
次に、図５を用いて、宅配ボックス１００を折り畳むときの動作について説明する。図５は、宅配ボックス１００を折り畳むときの動作を示す模式図である。
【００３５】
宅配ボックス１００は、ユーザによって宅配物が取り出された後に、ユーザによって折り畳まれる。以下に、宅配ボックス１００の組み立て状態から折り畳み状態までをステップ毎に説明する。
【００３６】
ステップＳ５０において、宅配ボックス１００は、組み立て状態として組み立てられた状態である。このとき、宅配ボックス１００は、扉４０と、側板５０と、側板６０と、本体カバー１０と、天板２０と、底板３０と、から構成される筐体として構成される。
【００３７】
ステップＳ６０において、ユーザによって、扉４０が本体カバー１０に押し戻される。このとき、扉４０のフレーム４２に設けられた摺動部４４，４４が底板３０のレール３４，３４を摺動する。扉４０が後方へ押し戻されることによって、扉４０に追従するように、宅配ボックス１００の側面を構成していた第１側板５１および第２側板５２が折り畳まれる。
【００３８】
ステップＳ７０において、ユーザによって、底板３０が上方に閉じられる。底板３０は、本体カバー１０の前面の下側を覆うように閉じられる。
【００３９】
ステップＳ８０において、ユーザによって、天板２０が下方に閉じられる。天板２０は、本体カバー１０の前面の上側を覆うように閉じられる。ステップＳ８０では、折り畳み状態としてのステップＳ１０と同様に、宅配ボックス１００は、折り畳み状態となる。
【００４０】
宅配ボックス１００の効果について説明する。宅配ボックス１００によれば、宅配業者によって宅配物が預けられるまでは、折り畳むことによってコンパクトに設置することができる。
【００４１】
宅配ボックス１００によれば、宅配業者によって宅配物が預けられるまでは、折り畳むことによって、外観上のシンプルな構成を実現することができるため、意匠性を向上することができる。
【００４２】
宅配ボックス１００によれば、宅配業者によって宅配物が預けられた後は、組み立てられることによって外観上の形状が大きくなり、宅配物が預けられたことが分かり易い。
【００４３】
宅配ボックス１００によれば、天板２０に折り畳み状態の宅配ボックス１００の上扉の機能を持たせ、底板３０を折り畳み状態の宅配ボックス１００の下扉の機能を持たせることによって、部品点数を削減し、部品コストの削減することができる。また、部品点数を削減することによって軽量化することができる。
【００４４】
宅配ボックス１００によれば、本体カバー１０のカバー部１１、天板２０、底板３０、扉４０および側板５０，６０を樹脂製とすることによって、軽量化することができる。
【００４５】
宅配ボックス１００によれば、本体カバー１０のカバー部１１、天板２０、底板３０、扉４０および側板５０，６０を樹脂製とすることによって、これらの部材を軽量化し、折り畳むまたは組み立てる動作をスムーズにすることができる。
【００４６】
次に、図６および図７を用いて、宅配ボックス１００の防水構成について説明する。図６は、宅配ボックス１００の防水構成を示す斜視図である。図７は、宅配ボックス１００の防水構成を示す別の斜視図である。図６および図７は、説明を分かり易くするため、底板３０および側板５０のみを示す。
【００４７】
宅配ボックス１００の防水構成として、底板３０および側板５０，６０の構成の詳細について説明する。側板５０，６０は同様の構成であるため、側板５０の構成についてのみ説明する。また、以下では、宅配ボックス１００が組み立て状態であるとして説明する。
【００４８】
底板３０は、上述したように、宅配ボックス１００の組み立て状態では、水平面と略平行な位置にて本体カバー１０に対し一対のアーム１３，１３によって支持される。底板３０は、底板本体３１と、底板カバー３２と、一対のレール３３，３３と、を含む。
【００４９】
底板本体３１は、底部３５と、側壁３６と、一対の後壁３７，３７と、を有する。底部３５は、略平板形状に形成される。底部３５の内面は、前方から後方に向かうに従って下方に傾斜するように形成される。ここで、「内面」とは、組み立て状態の宅配ボックス１００において内部を向く面とする。底部３５の内面には、側壁３６または後壁３７と比較しても低いリブが形成される。
【００５０】
側壁３６は、底部３５から所定高さまで形成された壁である。所定高さは、例えば底板カバー３２の高さよりも高い。側壁３６は、高さ方向から見て略Ｃ字形状に形成される。側壁３６は、前端部３６Ａと、左端部３６Ｂと、右端部３６Ｃと、を有する。前端部３６Ａは、底部３５の前端部に形成される。左端部３６Ｂは、底部３５の左端部から若干中央寄りに形成される。右端部３６Ｃは、底部３５の右端部から若干中央寄りに形成される。
【００５１】
後壁３７は、底部３５から所定高さまで形成された壁である。所定高さは、例えば底板カバー３２の高さよりも低い。後壁３７は、高さ方向から見て略Ｌ字形状に形成される。一対の後壁３７，３７は、底部３５の左後角部と、底部３５の右後角部とにそれぞれ形成される。一対の後壁３７，３７の間の底板本体３１の後端部を排水口３７Ａとする。
【００５２】
底板カバー３２は、載置部３２Ａを有する。載置部３２Ａは、平坦になるように形成される。載置部３２Ａには、宅配物が載置される。載置部３２Ａは、一対のレール３３，３３の間に形成される。載置部３２Ａは、底板カバー３２において最も高い位置に形成される。
【００５３】
側板５０は、組み立て状態では、底板カバー３２の載置部３２Ａの外側に位置する。側板５０は、第１側板５１と、第２側板５２と、ヒンジ部５３と、カバー５５と、を含む。ヒンジ部５３では、第１側板５１と第２側板５２とがヒンジ固定される。
【００５４】
カバー５５は、ヒンジ部５３の内側に設けられる。カバー５５は、幅方向から見て長尺形状に形成される。カバー５５は、高さ方向から見て略Ｕ字形状に形成される。カバー５５は、例えば樹脂で形成される。
【００５５】
続いて、組み立て状態の宅配ボックス１００の防水作用について説明する。側板５０に降りかかった雨水は、側板５０を伝って下方へ流れ落ちる。このとき、第１側板５１と第２側板５２との隙間に浸入した雨水は、カバー５５によって宅配ボックス１００内への浸入が妨げられる。
【００５６】
第１側板５１と第２側板５２との隙間に浸入した雨水は、カバー５５を伝って下方へ流れ落ちる。側板５０またはカバー５５を伝って下方へ流れ落ちた雨水は、底板本体３１の側壁３６を構成する左端部３６Ｂと底板カバー３２の左端面の隙間を通過して底板本体３１の底部３５に受け止められる。
【００５７】
側板６０に降りかかった雨水は、側板５０に降りかかった雨水と同様の作用であるため、説明を省略する。扉４０に降りかかった雨水は、扉４０を伝って下方へ流れ落ちる。扉４０を伝って下方へ流れ落ちた雨水は、底板本体３１の側壁３６を構成する前端部３６Ａと底板カバー３２の前端面の隙間を通過して底板本体３１の底部３５に受け止められる。
【００５８】
底板本体３１の底部３５に受け止められた雨水は、底部３５の傾斜を伝って底部３５の後端部に向かって流れ落ちて、後壁３７，３７の間の排水口３７Ａから排水される。
【００５９】
底部３５の表面のリブに雨水が滞留した場合は、宅配ボックス１００が折り畳まれる際に、底部３５が大きく傾斜したときに、雨水が底部３５の後端部に向かって流れ落ちる。底部３５の後端部に向かって流れ落ちた雨水は、後壁３７，３７の隙間の排水口３７Ａから排水される。
【００６０】
宅配ボックス１００の効果について説明する。宅配ボックス１００によれば、宅配物が預けられている間に、雨水によって宅配物を濡らさないことができる。すなわち、底板カバー３２の載置部３２Ａに宅配物を載置することによって、雨水を受け止める底板本体３１より高い位置で宅配物を載置することができる。底板本体３１より高い位置で宅配物を載置することによって、雨水によって宅配物を濡らさないことができる。
【００６１】
宅配ボックス１００によれば、底板本体３１の底部３５の内面を前方から後方に向かうに従って下方に傾斜するように形成することによって、雨水をスムーズに排水口３７Ａに流すことができる。
【００６２】
宅配ボックス１００によれば、ヒンジ部５３の内側にカバー５５を設けることによって、第１側板５１と第２側板５２との隙間から雨水が浸入することを防止することができる。
【符号の説明】
【００６３】
１０  本体カバー、２０  天板、３０  底板、３１  本体、３２  底板カバー、４０  配達扉、５０  側板、５３  ヒンジ部、５５  カバー、６０  側板、１００  宅配ボックス  
【図１】
2020156815.tif 000003
【図２】
2020156815.tif 000004
【図３】
2020156815.tif 000005
【図４】
2020156815.tif 000006
【図５】
2020156815.tif 000007
【図６】
2020156815.tif 000008
【図７】
2020156815.tif 000009